(57)【特許請求の範囲】
【請求項１】
医療装置の柔軟性のある導管であって、
細長いニチノール製帯片、および柔軟性のあるチューブを備え、
前記細長いニチノール製帯片は、
遠位端と、
近位端と、
前記遠位端から前記近位端へ伸びる長手方向軸と、
前記遠位端から伸展する鋭利なヘッドと、
前記帯片内に形成され、前記長手方向軸に少なくとも部分的に沿って配列されるチャネルと、を備え、
前記柔軟性のあるチューブは、前記遠位端と前記近位端との間で前記細長いニチノール製帯片を少なくとも部分的に被覆し、
前記チャネルおよび前記柔軟性のあるチューブが導管を画定することを特徴とする、医療装置の柔軟性のある導管。
【請求項２】
医療装置の柔軟性のある導管であって、
細長いニチノール製帯片、および柔軟性のあるチューブを備え、
前記細長いニチノール製帯片は、
遠位端と、
近位端と、
前記遠位端から前記近位端へ伸びる長手方向軸と、
前記遠位端から伸展する鋭利なヘッドと、
前記帯片内に形成され、前記長手方向軸に少なくとも部分的に平行に配列されるチャネルと、を備え、
前記柔軟性のあるチューブは、前記遠位端と前記近位端との間で前記細長いニチノール製帯片を少なくとも部分的に被覆し、
前記チャネルおよび前記柔軟性のあるチューブが導管を画定することを特徴とする、医療装置の柔軟性のある導管。
【請求項３】
医療装置の柔軟性のある導管の製造方法であって、
細長いニチノール製帯片内へチャネルをエッチングするステップと、
前記細長いニチノール製帯片の遠位端に鋭利なヘッドを形成するステップと、
柔軟性のあるチューブで前記平らな細長いニチノール製帯片を被覆して、前記柔軟性のあるチューブおよび前記チャネルが導管を画定するようにするステップと、
を含む方法。
【請求項４】
医療装置の柔軟性のある導管の製造方法であって、
細長いニチノール製帯片内へチャネルをスタンピングするステップと、
前記細長いニチノール製帯片の遠位端に鋭利なヘッドを形成するステップと、
柔軟性のあるチューブで前記平らな細長いニチノール製帯片を被覆して、前記柔軟性のあるチューブおよび前記チャネルが導管を画定するようにするステップと、
を含む方法。
【発明の詳細な説明】
【技術分野】
【０００１】
本発明は、一般に医療装置に関するものであり、特に、柔軟な導管および関連した医療装置とその方法に関するものである。
【背景技術】
【０００２】
さまざまな医療装置を使用する際、診断、治療、手術を実施するために体内のナビゲートや、特定の目的部位へのアクセスを目的として導管を利用する。例えば、硬質なニードルによって挿入された柔軟性のあるカニューレは、従来、治療用薬剤（例えば、インシュリン）の注入投与のために利用されている。
【発明の開示】
【発明が解決しようとする課題】
【０００３】
皮膚に貫通するとき屈折しない、簡素な設計の医療装置用の柔軟性のある導管を提供することが本発明の目的である。
【課題を解決するための手段】
【０００４】
遠位端、近位端、前記遠位端から前記近位端へ伸びる長手方向軸、前記遠位端から伸展する鋭利なヘッド、および内部にエッチング処理されたチャネルを備える細長いニチノール製ストリップを含む医療装置の柔軟性のある導管が提供される。さらに、前記チャネルは前記長手方向軸に沿って配置される。この医療装置の柔軟性のある導管は、前記遠位端と前記近位端の間で前記細長いニチノール製ストリップを少なくとも部分的に被覆する柔軟性のあるチューブをも含み、前記チャネルおよび前記柔軟なチューブが導管を画定する。医療装置の柔軟性のある導管の製造方法は、細長いニチノール製ストリップ内へチャネルをエッチングするステップと、前記細長いニチノール製ストリップの遠位端に鋭利なヘッドを形成するステップと、を含む。この方法は、柔軟性のあるチューブで前記平らな細長いニチノール製ストリップを被覆して、前記柔軟性のあるチューブおよび前記チャネルが導管を画定するようにするステップをも含む。
【０００５】
本発明の新規な特徴は添付の特許請求の範囲で特に記載される。本発明の機能と利点は、本発明の原理が利用される以下の例示的な実施形態の詳細、および同じ符号が同様の要素を示す添付図面を参照すれば容易に明らかになろう。
【発明を実施するための最良の形態】
【０００６】
以下の詳細な説明は、異なる図の同様の要素が同一の符号で示される前記の図を参照しながら読むべきである。これらの図は必ずしも縮尺どおりではなく、説明のみの目的で選択した例示的実施形態を図示し、本発明の範囲を限定するものではない。詳細な説明は例示的目的のものであって、限定するものではなく、本発明の原理を示す。この説明は、当業者が本発明を作成し、用いることを可能にするために提示され、現在認識される本発明の最良の態様の例示を含めて複数の本発明の実施形態、適用例、バリエーション、改変、使用を記述する。
【０００７】
任意の数値または範囲用に使用される本明細書の用語である「約」または「ほとんど」は、構成要素の部分または集合が本明細書に記載のとおり、意図する目的のために機能することを可能にする適切な寸法公差を示す。加えて本明細書で使用される「患者」、「宿主」および「被験者」の用語は任意のヒトまたは動物の被験者を指し、ヒトの患者において主題の発明を使用することが好ましい実施形態を表す場合でも、システムまたは方法をヒトへの使用に制限する意図を持たない。
【０００８】
図１Ａ、１Ｂおよび１Ｃは本発明の実施形態に従った医療装置の柔軟性のある導管１００を描写する。医療装置の柔軟性のある導管１００は、遠位端１０４付きの細長いストリップ１０２（柔軟性のあるニチノール製ストリップまたはその他の適切な柔軟性の高いストリップなど）、近位端１０６（近位端が存在するであろう位置方向のみが示される）、遠位端１０４から近位端１０６へ伸びる長手方向軸１０８（破線で描写）、遠位端１０４から伸展する鋭利なヘッド１１０、およびその内部に形成された（例えばエッチング処理された）チャネル１１２を含む。チャネル１１２は長手方向軸１０８に少なくとも部分的に沿って、または並列に配置される。
【０００９】
柔軟性のある医療装置１００は、遠位端と近位端の間で細長いストリップを少なくとも部分的に被覆する柔軟性のあるチューブ１１４を含み、上記チャネルおよびこの柔軟性のあるチューブ１１４が導管を画定する。チャネル１１２は、医療装置の柔軟性のある導管１００の側面にある導管の開口部１１６が画定されるように鋭利なヘッド１１０へ部分的に伸展する。
【００１０】
所望の場合、柔軟性のあるチューブ１１４は近位端１０６を越えて伸展でき、関連する医療装置のコンポーネント（輸液コンポーネント等）への流体漏れのない接続を提供するように構成されている。さらに、所望の場合、医療装置の柔軟性のある導管は使用者の目的部位への挿入を容易にするために潤滑材でコーティングされ得る。
【００１１】
本発明に従った医療装置の柔軟性のある導管の使用、製造、及び統合された医療装置での利用の方法を含むこれらの導管の他の様々な態様を、以下に説明する。
【００１２】
図２Ａおよび図２Ｂは、本発明の実施形態に利用し得るチャネル２１２付きの細長いニチノール製ストリップ２０２のそれぞれ側面図および端面図を示す簡単な描写である。図２Ａおよび図２Ｂは例示的な、非限定のインチ（１インチは約２．５４ｃｍ）による寸法を含む。
【００１３】
図３は、本発明の実施形態に利用し得る２本のチャネル３１２付きの別の細長いニチノール製ストリップ３０２の、インチで示された例示的寸法を使用した簡単な断面描写である。２本のチャネルは断面が「Ｈ形」の細長いニチノール製ストリップを形成する。２本のチャネルの存在によって導管の冗長性が提供され、また各導管における異なる液体（例えば、インシュリン及びＳｍｙｌｉｎ）の供給が可能になる。さらに、断面がＨ形であることから図４および下に説明されるように断面がＣ形のものに比較してより高い柔軟性が提供される。
【００１４】
図４は、本発明の実施形態に利用し得るチャネル４１２付きの別の細長いニチノール製ストリップ４０２の、インチで示された例示的寸法を使用した簡単な断面描写である。
【００１５】
図５は、本発明の実施形態に利用し得るチャネル５１２及び鋭利なヘッド５０４付きの別の細長いニチノール製ストリップ５０２の、インチで示された例示的寸法を使用した簡単な描写である。図６は、本発明の実施形態に利用し得るように鋭利なヘッド６０４およびチャネル６１２が付いたさらに別の細長いニチノール製ストリップ６０２の簡単な描写である。
【００１６】
図７Ａ乃至図７Ｄは、本発明の実施形態で利用され得る鋭利なヘッド７０４およびチャネル７１２が付いた他の細長いニチノール製ストリップ７００の、インチで示された例示的寸法を使用した簡単な描写である。
【００１７】
本発明の実施形態に従った医療装置の柔軟性のある導管の製造方法は、細長いニチノール製ストリップへのチャネルのエッチング、及び細長いニチノール製ストリップの遠位端に位置する鋭利なヘッドの形成を含む。この方法はさらに、柔軟性のあるチューブおよびチャネルが導管を画定するように、引き続いて柔軟性のあるチューブの付いた平らな細長いニチノール製ストリップを被覆することを含む。
【００１８】
図８Ａおよび８Ｂは、本発明に従った医療装置の柔軟性のある導管を製造するために利用され得る等方性エッチングプロセスの簡単な描写である。本発明の実施形態に利用され得るチャネルは、例えば、等方性化学的エッチング技術を含む当該技術分野の当業者に公知の任意のエッチング技術を使用して形成され得る。等方性エッチングは図８Ａおよび８Ｂに示されるようにマスキング層を利用し、マスキング層にアンダーカットを形成し、マスキング層を取り外した後エッチング処理した表面の底部に鋭角を持つ断面が半円の側壁を生成する。
【００１９】
湾曲した細長いストリップ（湾曲した細長いニチノールストリップ等）を手に入れたい場合、カールしたシート材が平たいシートの代わりに使用され得る。この場合、各マスクはシートの輪郭と適切に並んでいなければならない。あるいは、ストリップは二次的製造過程でカールしてもよい。
【００２０】
チャネルは、細長いストリップの片側（「Ｃ」形の断面と呼ぶ。例えば、図２Ｂを参照）またはストリップの両側（「Ｈ」形の断面と呼ぶ。例えば、図３を参照）をエッチングすることができる。また、細長いストリップの片側または両側の１本またはそれ以上のチャネルをエッチングすることも可能である。１本またはそれ以上のチャネルをエッチングすることによって、何本かのチャネルのうち１本が閉塞した場合、冗長性が提供され、またはインシュリンとＳｙｍｌｉｎ等のように異なる薬剤を供給するために使用することができる。
【００２１】
貫通する鋭利なエッジを持つストリップの鋭利なヘッドは、細長いストリップの残り部分よりも広く作られ、柔軟性のあるチューブ（例えば、ポリマージャケット）が導管を形成するためにストリップの周りに配置されたときに、柔軟性のあるチューブの前縁部がヘッドのショルダーに適合する。これにより、医療装置の柔軟性のある導管の前面プロファイルが低くなり、挿入の力を軽減し、柔軟性のあるチューブが使用者の目的部位の切開挿入口で拘束しポリマーの「アコーディオン化」の原因となり得るのを防ぐ。エッチング処理されたチャネルは、鋭利なヘッドに伸展し、柔軟性のあるチューブを越えた開口を提供し、液体が使用者の目的部位に流れる。鋭利なヘッドの部位にある開口部を再配置することによって、挿入中、組織の塊によってチャネルを閉塞する機会を有利に低減する。エッチング処理部分に適切な形状が得られるよう、ストリップのヘッドが本体と合う箇所でコーナー補正などの一般に使用されるマスキング技法を使用してもよい。
【００２２】
エッチングにより鋭利なヘッドの形状が本体と独立して設計できるため、多くの鋭利なヘッドの構成（図７Ａ乃至図７Ｄを参照）が可能である。
【００２３】
本発明の例示的な実施形態に従った医療装置の柔軟性のある導管は、例えば（Ｚｅｕｓの最大回復内径０．０１２インチ、回復壁厚０．００２インチ、最小拡張内径０．０４８インチの）熱収縮ＰＴＦＥポリマージャケットによって囲まれたエッチング処理された細長い（鋭利なヘッド付き）ニチノール製ストリップを含む柔軟性のある導管を使用して形成され得る。この実施形態では、細長いニチノール製ストリップのエッチング処理されたチャネルはＰＴＦＥジャケットを越えて伸展し液体の流出が可能になる。さらに、熱収縮ＰＴＦＥチューブは鋭利なヘッドの接合部で先細りになり、使用者の目的部位への挿入を容易にする。
【００２４】
本発明の実施形態に従った医療装置は、遠位端、近位端、遠位端から近位端まで伸びる長手方向軸、遠位端から伸展する鋭利なヘッド、および内部にエッチング処理されたチャネルを備える細長いニチノール製ストリップを含む医療装置の柔軟性のある導管を含む。あるいは、スタンピング等、その他の適切な方法を使用することによりチャネルを形成することができる。さらに、チャネルは長手方向軸に沿ってあるいは、並列して配置される。医療装置の柔軟性のある導管は、遠位端と近位端の間で細長いニチノール製ストリップを少なくとも部分的に被覆する柔軟性のあるチューブも有し、上記チャネルとこの柔軟なチューブとが導管を画定する。この医療装置は、導管が目的部位に流体連通するように、柔軟性のある導管の一部（鋭利なヘッドを含む）を使用者の目的部位に挿入するよう構成された挿入メカニズムも含む。
【００２５】
医療装置などで利用されるこの医療装置の柔軟な導管をこれまで説明してきた（例えば、図１Ａ乃至図８Ｂを参照）。統合された挿入メカニズムの例示的実施形態を以下に説明する。この点に関し、医療装置の柔軟性のある導管は、その医療装置の柔軟性のある導管が使用中に外れたり、離れたリ、廃棄されないために挿入メカニズムと統合されることに留意すべきである。
【００２６】
図９Ａおよび図９Ｂは、それぞれ、統合された医療装置の柔軟性のある導管の配備前および配備後のそれぞれの本発明の実施形態に従った医療装置９００の簡単な描写である。医療装置９００は、医療装置の柔軟性のある導管９０２および挿入メカニズム９０４を含む。挿入メカニズムの様々なコンポーネント（例えば、発射解除ボタン、発射バネ、ラッチ、およびガイドチャネル）は図９Ａおよび図９Ｂに図解される。これらの図に記載されるように、医療装置の柔軟性のある導管は柔軟性のあるカニューレとも呼ばれ、その柔軟性のあるチューブ部分は、例えばインシュリンの供給源に接続され得る。
【００２７】
医療装置９００は、ラッチを解除するために解除ボタンを押すことによって発射するか、あるいは、電気機械的スイッチ（図示せず）によって自動的に発射され得る。医療装置９００は図９Ａに示されるように使用者にバネで荷重して提供し得る。本装置は荷重位置でラッチによって保持され、このラッチは解除ボタンを押すことによって荷重位置から移動され得る。医療装置の柔軟性のある導管は、使用者の皮膚の表面とほとんど並列に配置されるチャネル内に存在し、先端で使用者の身体に向かって４５度の角度で曲がる。医療装置の柔軟性のある導管は、通常、真っ直ぐであるが、ニチノールの超弾性特性に従って４５度の屈曲を伴う。導管の配備のために、４５度以外の角度が使用され得る。
【００２８】
本医療装置を使用するために、接着剤支持体（図示せず）が医療装置の底部から剥がされ、本医療装置は使用者の皮膚に貼られる（接着される）。本医療装置の扱いには、ほとんど手先の器用さを必要とせず、また他の自動挿入器付き注入装置と比較して小型であるため、例えば、臀部の上、腕の裏側、横腹、腹部、腿（後面、正面、あるいは側面）などの使用者が触ることのできる身体のいかなる位置にも容易に適用できる。
【００２９】
本医療装置の柔軟性のある導管を配備（挿入）するために、使用者はラッチを解除し、バネにより本医療装置を発射する解除ボタンを押す。医療装置の柔軟性のある導管は、チャネルガイドに沿い、４５度の屈曲を移動し使用者の皮膚に挿入する。使用者は、便宜に従い、１本またはそれ以上の指、親指、手の平、または手あるいは腕の任意の部分で装置を押し得る。挿入メカニズムを作動するための手先の器用さ、または力はほとんど必要ない。あるいは、電気機械的メカニズムを使用し、使用者が解除ボタンを押す必要性を除去するため自動的に装置を発射し得る。
【００３０】
図９Ａおよび図９Ｂに示される医療装置は、インシュリンの供給源に接続されながら柔軟性のある導管の前方への移動を可能にするチューブのコイルを含む。あるいは、柔軟性のある導管と共にスライドするコネクタを医療装置の後側に装備し得る。配備後、インシュリンの供給部に接続するために、適切なコネクタを介してチューブを装置の後側に取り付け得る。
【００３１】
本明細書の医療装置９００の水平構成は以下を含む多くの利点がある。
・薄型の設計はパッチポンプへの統合に良く適する。
・ニチノール製ストリップは平らに製造することができ、これにより、製造工程が減少する。
・本装置は構成部品の少ない簡素な設計である。
・バネの設計は非常に単純であり、バネの力が簡単に調節される。
・柔軟性のあるニチノール／ポリマー製カニューレ（例えば、医療装置の柔軟性のある導管）は全長に沿って支持されるため皮膚に貫通するとき、屈折しない。
・装置はバネに与圧がかかっており、使用者はバネを加圧するために力を入れなければならないという心理的な脅威を感じることがない。
・装置は、移動する部品の質量が小さいため、配備中のノイズが最小である。更にノイズを低減するため、減衰材料を装置に組み入れ得る。
・使用者は挿入前、挿入中、挿入後にニードルを見ずに、装置を心理的に快適に挿入させることができる。
【００３２】
図１０、１１、１２および１３は、本発明の実施形態に従った医療装置１０００の様々な簡単な図面である。医療装置１０００は、（医療装置の柔軟性のある耐屈折導管ガイド１００４付き）挿入メカニズム１００２および統合した医療装置の柔軟性のある導管１００６を含む。図１０および図１１は使用者が目的部位に医療装置の柔軟性のある導管を配備（挿入）する前の医療装置を描写する。図１２は配備後の医療装置を描写する。図１３は、医療装置の柔軟性のある導管ガイドと共に作動する医療装置の柔軟性のある耐屈折導管の簡単な断面図である。
【００３３】
図１０、図１１、図１２および図１３を参照すると、医療装置１０００は、使用者が目的部位への挿入する間、統合した医療装置の柔軟性のある導管１００６が屈折するのを防ぐための医療装置の柔軟性のある耐屈折導管ガイド１００４を含む。医療装置１０００の構成により医療装置の柔軟性のある導管の全長に沿って耐屈折支持が提供される。
【００３４】
医療装置の柔軟性のある耐屈折導管ガイド１００４は、例えばニチノールから形成され、そのチャネル（またはその代わりに溝）が医療装置の柔軟性のある導管（例えば図１３を参照）と共に作動するよう構成されている。配備前に、医療装置の柔軟性のある導管は耐屈折導管ガイドのチャネル内に位置される（例えば図１０を参照）。
【００３５】
使用中（および医療装置が例えば医療装置の底部に施された接着層の使用により使用者に接着された後）、挿入力が医療装置の柔軟性のある導管の端にかかるとき、医療装置の柔軟性のある導管は耐屈折ガイドに向かって押しながら湾曲する。ニチノール製耐屈折導管ガイドは医療装置の柔軟性のある導管が曲がる範囲を限定し、これにより、医療装置の柔軟性のある導管が屈折するのを防ぐ。挿入メカニズムが閉じるとき（つまり、使用者の手動による力で図１０の位置から図１１の位置へ移動するとき）、医療装置の柔軟性のある導管は皮膚を貫通し皮下組織（図示せず）に入る。同時に、ニチノール耐屈折導管ガイドは、挿入メカニズム（図１２等に記載）に位置するチャネルへと上方に移動し、曲がる（図１２を参照）。ニチノールは超弾性であるため、屈折することなく容易に曲がる。
【００３６】
本明細書の焦点がインシュリンの送達に関する医療装置およびその方法に当てられてきたが、本発明の実施形態は他の薬品またはＤＮＡまたは細胞など生物剤の供給、センサーの挿入、あるいは血液、組織間液または組織等検体の抽出にも有用である。
【００３７】
上述の記述および考察から、当業者は、本発明の実施形態が医療装置の柔軟性のある導管および統合された挿入メカニズムを有する医療装置を使用者に接着することを含め、医療装置の柔軟性のある導管を使用者の目的部位に挿入する方法を包含するものであると理解するであろう。
【００３８】
更に、医療装置の柔軟性のある導管は、遠位端、近位端、遠位端から近位端まで伸びる長手方向軸、遠位端から伸展する鋭利なヘッド、および内部にエッチング処理されたチャネルを備える細長いニチノール製ストリップを有する。その上、チャネルは長手方向軸に沿ってあるいは、並列して配置される。医療装置の柔軟性のある導管は、遠位端と近位端の間で細長いニチノール製ストリップを少なくとも部分的に被覆する柔軟性のあるチューブも含み、上記チャネルとこの柔軟なチューブとが導管を画定する。挿入メカニズムは、導管が目的部位と流体連通するように鋭利なヘッドを含む柔軟性のある導管の一部を使用者の目的部位に挿入するように構成される。本方法はまた、医療装置の柔軟性のある導管を使用者の目的部位に挿入することを含む。
【００３９】
医療装置の柔軟性のある導管の鋭利なヘッドは（例えばインシュリンの投与中等）医療装置の使用中に目的部位に残存し、医療装置の柔軟性のある導管全体が目的部位から抜去されるときにのみ取り外される。医療装置の柔軟性のある耐屈折導管の柔軟性が大きいため（例えばニチノールおよび柔軟性のあるポリマー製チューブから形成されている）、導管は過度の痛みまた不快さを感じることなしに挿入したままにしておくことができる。
【００４０】
本発明の望ましい実施形態を本明細書に示し説明したが、このような実施形態は例としてのみ提供されていることは当業者には明白であろう。当業者は、本発明の範囲から逸脱することなしに数多くのバリエーション、変更、置き換えを想起するであろう。本明細書で記述された本発明の実施形態に対する様々な代替物が本発明の実施において利用され得ることを理解するべきである。添付の特許請求の範囲が本発明の範囲を定め、これらの特許請求の範囲およびそれらの均等物の範囲内にある装置および方法が対象となることが意図される。
【図面の簡単な説明】
【００４１】
【図１Ａ】本発明の例示的な実施形態に従った医療装置の柔軟性のある導管の簡単な断面図である。
【図１Ｂ】図１ＡのＢ−Ｂの線に沿って描かれた図１Ａの医療装置の柔軟性のある導管の簡単な断面図である。
【図１Ｃ】図１ＡのＣ−Ｃの線に沿って描かれた図１Ａの医療装置の柔軟性のある導管の簡単な断面図である。
【図２】（Ａ）本発明の実施形態に利用し得るチャネル付きの細長いニチノール製ストリップの側面図を示す簡単な描写である。（Ｂ）本発明の実施形態に利用し得るチャネル付きの細長いニチノール製ストリップの端面図を示す簡単な描写である。
【図３】本発明の実施形態に利用し得る別の細長いニチノール製ストリップの、インチで示された例示的寸法を使用した簡単な断面図である。
【図４】本発明の実施形態に利用し得る別の細長いニチノール製ストリップの、インチで示された例示的寸法を使用した簡単な断面図である。
【図５】本発明の実施形態に利用し得る別の細長いニチノール製ストリップの、インチで示された例示的寸法を使用した簡単な描写である。
【図６】本発明の実施形態に利用し得るさらに別の細長いニチノール製ストリップの簡単な描写である。
【図７】本発明の実施形態で利用され得る他の細長いニチノール製ストリップのインチで示された例示的寸法を使用した簡単な描写である。
【図８Ａ】本発明に従った医療装置の柔軟性のある導管を製造するために利用され得る等方性エッチングプロセスの簡単な描写である。
【図８Ｂ】本発明に従った医療装置の柔軟性のある導管を製造するために利用され得る等方性エッチングプロセスの簡単な描写である。
【図９Ａ】統合された医療装置の柔軟性のある導管の配備前の本発明の実施形態に従った医療装置の簡単な描写である。
【図９Ｂ】統合された医療装置の柔軟性のある導管の配備後の本発明の実施形態に従った医療装置の簡単な描写である。
【図１０】医療装置の柔軟性のある導管ガイドを含む本発明の実施形態に従った別の医療装置の簡単な図面である。
【図１１】医療装置の柔軟性のある導管ガイドを含む本発明の実施形態に従った別の医療装置の簡単な図面である。
【図１２】医療装置の柔軟性のある導管ガイドを含む本発明の実施形態に従った別の医療装置の簡単な図面である。
【図１３】医療装置の柔軟性のある導管ガイドを含む本発明の実施形態に従った別の医療装置の簡単な図面である。
【符号の説明】
【００４２】
１００  医療装置の柔軟性のある導管
１０２  細長いストリップ
１０４  遠位端
１０６  近位端
１０８  長手方向軸
１１０  鋭利なヘッド
１１２  チャネル
１１４  柔軟性のあるチューブ
１１６  導管の開口部
２０２  細長いニチノール製ストリップ
２１２  チャネル
３０２  細長いニチノール製ストリップ
３１２  チャネル
４０２  細長いニチノール製ストリップ
４１２  チャネル
５０２  細長いニチノール製ストリップ
５０４  鋭利なヘッド
５１２  チャネル
６０２  細長いニチノール製ストリップ
６０４  鋭利なヘッド
６１２  チャネル
７００  細長いニチノール製ストリップ
７０４  鋭利なヘッド
７１２  チャネル
９００  医療装置
９０２  医療装置の柔軟性のある導管
９０４  挿入メカニズム
１０００  医療装置
１００４  医療装置の柔軟性のある耐屈折導管ガイド
１００６  統合した医療装置の柔軟性のある導管
【図１Ａ】
0005301947.tif 000002
【図１Ｂ】
0005301947.tif 000003
【図１Ｃ】
0005301947.tif 000004
【図２】
0005301947.tif 000005
【図３】
0005301947.tif 000006
【図４】
0005301947.tif 000007
【図５】
0005301947.tif 000008
【図６】
0005301947.tif 000009
【図７】
0005301947.tif 000010
【図８Ａ】
0005301947.tif 000011
【図８Ｂ】
0005301947.tif 000012
【図９Ａ】
0005301947.tif 000013
【図９Ｂ】
0005301947.tif 000014
【図１０】
0005301947.tif 000015
【図１１】
0005301947.tif 000016
【図１２】
0005301947.tif 000017
【図１３】
0005301947.tif 000018